(57)【特許請求の範囲】
【請求項１】
ドア枠を形成する上枠とドアパネル室外側部に亘ってドアクローザーを取付け、前記上枠の室外側部とドアパネルの室外側上部を室外側シール材でシールしたドアクローザーを備えた開きドアであって、
前記上枠は、上枠本体と、この上枠本体の室外側見付け面よりも室外側に突出したブラケット取付片を有し、このブラケット取付片が上枠の上面を形成する形状で、
前記ブラケット取付片にブラケットが、前記上枠本体の上部寄りに位置して前記室外側シール材と干渉しないように固着され、そのブラケットにドアクローザーのリンクが連結されていると共に、ドアクローザーの本体がドアパネルの室外側部に固着されていることを特徴とするドアクローザーを備えた開きドア。
【発明の詳細な説明】
【０００１】
【発明の属する技術分野】
本発明は、玄関ドア、勝手口ドアなどのドアクローザーを備えた開きドアに関する。
【０００２】
【従来の技術】
ドア枠にドアパネルをヒンジで室内外側方向に回動自在に取付け、そのドアパネルを室外側に回動することで開放し、室内側に回動することで閉じるようにし、そのドア枠とドアパネルに亘ってドアクローザーを取付けた開きドアが提案されている。
例えば、特開平９−７８９３１号公報に示すようにドア枠を形成する上枠とドアパネル室内側部に亘ってドアクローザーを取付けた開きドアが提案されている。
【０００３】
【発明が解決しようとする課題】
前述のようにドアパネル室内側部にドアクローザーを取付けた開きドアは、ドアクローザーのためにそのドアパネルよりも室内側に網戸を取付けできない。
このことを解消するには上枠とドアパネル室外側部に亘ってドアクローザーを取付けることが考えられる。
例えば、図７に示すように、上枠１の室外側見付け面（縦面）１ａにブラケット２をビス３で固着し、ドアクローザー４のリンク４ａを前記ブラケット２に連結する。ドアクローザー４の本体４ｂをドアパネル５の室外側部に固着する。
【０００４】
図８に示すように、上枠１の見込み面１ｂにブラケット２を固着し、このブラケット２の上枠１の室外側見付け面１ａから突出した部分にドアクローザー４のリンク４ａを連結する。ドアクローザー４の本体４ｂをドアパネル５の室外側部に固着する。
【０００５】
図７に示すものであると、上枠１の室外側見付け面１ａの上下寸法がブラケット２を固着できる程度に大きいので、上枠１の見付け寸法が大きい。
このために、見付け寸法が小さい上枠であると室外側見付け面１ａにブラケット２を固着できないので、ドアクローザーを取付けできない。
【０００６】
図８に示すものであると、上枠１の見込み面１ｂとドアパネル５の室外側上部の間をシール材でシールしようとした場合に、ブラケット２がシール部を横切って室内外側方向に連続するので、そのブラケット２のために確実にシールすることができない。
【０００７】
そこで、本発明は前述の課題を解決できるようにしたドアクローザーを備えた開きドアを提供することを目的とする。
【０００９】
【課題を解決するための手段】
本発明は、ドア枠を形成する上枠とドアパネル室外側部に亘ってドアクローザーを取付け、前記上枠の室外側部とドアパネルの室外側上部を室外側シール材でシールしたドアクローザーを備えた開きドアであって、
前記上枠は、上枠本体と、この上枠本体の室外側見付け面よりも室外側に突出したブラケット取付片を有し、このブラケット取付片が上枠の上面を形成する形状で、
前記ブラケット取付片にブラケットが、前記上枠本体の上部寄りに位置して前記室外側シール材と干渉しないように固着され、そのブラケットにドアクローザーのリンクが連結されていると共に、ドアクローザーの本体がドアパネルの室外側部に固着されていることを特徴とするドアクローザーを備えた開きドアである。
【００１２】
【作用】
本発明によれば、上枠のブラケット取付片が上枠本体の室外側見付け面よりも室外側に突出し、そのブラケット取付片にブラケットが固着してあると共に、そのブラケットにドアクローザーのリンクが連結してあるので、上枠本体の室外側見付け面の上下寸法に関係なしに前記ブラケットを上枠に固着できる。
したがって、見付け寸法が小さい上枠にもドアクローザーのリンクを連結でき、見付け寸法が小さい上枠を用いた開きドアであってもドアパネルよりも室外側にドアクローザーを取付けできる。
【００１３】
また、ブラケットとブラケット取付片の固着部から浸入した雨水等は上枠本体の室外側見付け面よりも室外側に流れ落ち、上枠本体内部に浸入しない。
したがって、前述の固着部から浸入した雨水が上枠内から建物躯体に浸入しないので建物躯体が早期に腐蝕しないし、上枠と縦枠の連結部から室内側に浸入することもない。
【００１４】
また、ブラケット取付片にブラケットが、上枠本体の上部寄りに位置して、上枠の室外側部とドアパネルの室外側上部をシールする室外側シール材と干渉しないように固着してあるので、上枠室外側部とドアパネル室外側上部を確実にシールすることができる。
【００１５】
【発明の実施の形態】
図１に示すように、ドア枠１０にドアパネル１１をヒンジ等で室内外側方向に回動自在に取付け、そのドアパネル１１を室外側に回動して開放すると共に、ドアパネル１１を室内側に回動して閉じる開きドアを形成している。
前記ドア枠１０は上枠１２と下枠１３と左右の縦枠１４を方形状に連結してある。
前記ドアパネル１１は上框１５と下框１６と左右の縦框１７を方形状に連結し、その内部にパネル１８が装着してある。
なお、図１においてはドアクローザーの図示を省略してある。
【００１６】
前記上枠１２は図２に示すように、アルミニウム、鉄などの金属製部材１２ａの室内側内面を樹脂製部材１２ｂで被覆した形状である。
前記下枠１３は図２に示すように、アルミニウム、鉄などの金属製室外側部材１３ａと金属製室内側部材１３ｂを断熱材１３ｃで連結した断熱形材で、その金属製室内側部材１３ｂを樹脂製部材１３ｄで被覆してある。
前記左右の縦枠１４は図３に示すように、アルミニウム、鉄などの金属製部材１４ａの室内側内面を樹脂製部材１４ｂで被覆した形状である。
【００１７】
前記上框１５、下框１６、左右の縦框１７は図２、図３に示すように、アルミニウム、鉄などの金属製室外側部材１５ａ，１６ａ，１７ａの室内側部に樹脂製室内側部材１５ｂ，１６ｂ，１７ｂを取付けた形状で、ドアパネル１１の室内側部と室外側部に熱が伝り難く、断熱性に優れたドアパネルである。
【００１８】
前記上枠１２、下枠１３、左右の縦枠１４の各樹脂製部材１２ｂ，１３ｄ，１４ｂには室内側シール材１９が四周連続して室外側に向けてそれぞれ装着してある。
ドアパネル１１を閉じると各樹脂製室内側部材１５ｂ，１６ｂ，１７ｂが各室内側シール材１９にそれぞれ接し、ドア枠１０の室内側部とドアパネル１１の室内側部の間をシールする。
【００１９】
図２に示すように、ドアクローザー２０の本体２１が上框１５の金属製室外側部材１５ａの室外側面（ドアパネル１１の室外側部）に固着され、ドアクローザー２０のリンク２２が上枠１２の室外側部に固着されたブラケット２３に連結してある。
これによって、ドアクローザー２０がドアパネル１１よりも室外側に取付けてあるので、ドアパネル１１よりも室内側に網戸を取付けできる。
【００２０】
次にドアクローザー２０の取付け詳細を説明する。
図４に示すように、前記上枠１２の金属製部材１２ａは、面外方向に向う内側横板（見込み面）３０と、この内側横板３０に一体的に設けた室外側上向き板（室外側見付け面）３１、中間上向き板３２、室内側上向き板３３、室内寄り内向板３４、室内端内向鉤片３５と、前記室外側上向き板３１と中間上向き板３２に亘って一体的に設けた外側横板３６と、前記中間上向き板３２に一体的に連続した躯体取付片３７からなる上枠本体３８を有する。
前記上枠本体３８にはブラケット取付片３９が、外側横板３６と連続して室外側上向き板３１よりも室外側に突出して一体的に長手方向に連続して設けてある。このブラケット取付片３９と外側横板３６で上枠１２の上面を形成する。
この上枠本体３８とブラケット取付片３９からなる金属製部材１２ａはアルミニウム押出形材である。
【００２１】
前記ブラケット取付片３９は横片３９ａと室外側下向片３９ｂで下向き鉤形状である。
前記ブラケット２３は、ほぼ水平な一端部２３ａと水平に対して斜め上向きの中間部２３ｂとほぼ水平な他端部２３ｃでほぼクランク形状である。
前記ブラケット２３の一端部２３ａがブラケット取付片３９の横片３９ａの上面に接し、その横片３９ａの下面に設けた裏板（ナット部材）２４にビス２５を螺合して固着される。中間部２３ｂと他端部２３ｃがブラケット取付片３９の室外側下向片３９ｂよりも室外側に突出し、かつ他端部２３ｃが一端部２３ａよりも上方に位置する。
【００２２】
前述のようであるから、ブラケット２３は上枠本体３８の室外側立上り板３１の上下長さ（上枠本体３８の見付け寸法）が小さくとも固着することができる。
【００２３】
また、ブラケット２３を固着するビス２５が挿通した部分から浸入した雨水等は上枠本体３８の室外側立上り板３１よりも室外側に流れ落ち、その雨水等が上枠本体３８の内部に浸入することがない。
【００２４】
また、ブラケット２３は上枠本体３８の上部寄りに位置するので、上枠１２の室外側部とドアパネル１１の室外側上部との間をシールする際にブラケット２３が邪魔にならない。
例えば、上枠本体３８の室外側立上り板３１に室外側シール材２６を室外側に向けて装着し、上框１５の金属製室外側部材１５ａの室外側立上り片２７を室外側シール材２６に接して上枠室外側部とドアパネル室外側上部の間をシールできる。
【００２５】
前記ブラケット２３は略クランク形状であるから、図４に示すように外装材２８と上枠上面（外側横板３６）の間にシール材２９を充填する際にブラケット２３が邪魔にならない。
これにより、前述のシール材２９の充填作業がやり易い。
また、裏板２４はブラケット取付片３９の室外側下向片３９ｂで覆われ、室外から見えないので見栄えがよい。
【００２６】
前記上枠１２の樹脂製部材１２ｂは図４に示すように、室外側縦板４０と横板４１と室内側縦板４２で上向きコ字状の断面形状で、その室内側縦板４２の上端部に係止突部４２ａが設けてあると共に、室内側縦板４２に取付横片４３が室内側に向けて一体的に設けてある。
前記上枠１２の金属製部材１２ａの室内寄り内向片３４はＬ字形状で、この室内寄り内向片３４の室内側面に略クランク形状で短尺な補強金具４４が接している。
【００２７】
前記樹脂製部材１２ｂの室外側縦板４０が室内寄り内向片３４の室外側面に接し、室内側縦板４２の室外側面に補強金具４４の下部片４４ａが接し、係止突部４２ａが室内端内向鉤片（係止部）３５に係合して樹脂製部材１２ｂが仮支持されている。
前記室外側縦板４０と室内寄り内向片３４がビス４５で固着されている。
前記室外側縦板４０と室内寄り内向片３４と補強金具４４の上部片４４ｂがビス４６で固着されている。この補強金具４４は上枠１２の長手方向一端部寄り（ドアクローザー取付部）に固着される。
【００２８】
このようであるから、図２に仮想線で示すように補強金具４４の下部片４４ａにビス４７を螺合することで樹脂製部材１２ｂにブラケット２３を強固に固着し、そのブラケット２３にドアクローザー２０のリンク２２を連結する。
ドアクローザー２０の本体２１を上框１５の樹脂製室内側部材１５ｂに接し、金属製室外側部材１５ａにビス４８を螺合して本体２１を取付ける。なお、樹脂製室内側部材１５ｂは中空形状であるので、その中空部にコ字形状の補強材４９が挿入して補強してあると共に、ビス４８は厚肉部１５ｃに螺合してある。
【００２９】
このようであるから、金属製部材１２ａの室内側内面を樹脂製部材１２ｂで被覆した上枠１２と、金属製室外側部材１５ａに樹脂製室内側部材１５ｂを連結した上框１５を用いた断熱性に優れた開き戸における室内側部にドアクローザーを強固に取付けできる。
【００３０】
前記ブラケット２３は図５に示すように、Ｌ字形状の第１ブラケット２３−１と、コ字形状の第２ブラケット２３−２をビスで連結した形状としても良い。
また、第１ブラケット２３−１と第２ブラケット２３−２を一体としても良い。
【００３１】
図６に示すように、上框１５の金属製室外側部材１５ａの室外側立上り板２７に室外側シール材２６を室内側に向けて装着し、この室外側シール材２６を上枠１２の室外側立上り板３１に接して上枠１２の室外側部とドアパネル１１の室外側上部の間をシールするようにしても良い。
【００３２】
以上の実施の形態では各枠、各框を断熱性に優れたものとしたが、アルミニウム又は鉄の金属のみから成る枠、框としても良い。
この場合には金属製部材１２ａの上枠本体３８が上枠全体の上枠本体を形成する。また、ブラケット２３を上枠１２の外側横板３６の上面に固着しても良い。この場合にはブラケット取付片３９を設けなくとも良い。
【００３５】
【発明の効果】
請求項１に係る発明によれば、上枠のブラケット取付片が上枠本体の室外側見付け面よりも室外側に突出し、そのブラケット取付片にブラケットが固着してあると共に、そのブラケットにドアクローザーのリンクが連結してあるので、上枠本体の室外側見付け面の上下寸法に関係なしに前記ブラケットを上枠に固着できる。
したがって、見付け寸法が小さい上枠にもドアクローザーのリンクを連結でき、見付け寸法が小さい上枠を用いた開きドアであってもドアパネルよりも室外側にドアクローザーを取付けできる。
【００３６】
また、ブラケットとブラケット取付片の固着部から浸入した雨水等は上枠本体の室外側見付け面よりも室外側に流れ落ち、上枠本体内部に浸入しない。
したがって、前述の固着部から浸入した雨水が上枠内から建物躯体に浸入しないので建物躯体が早期に腐蝕しないし、上枠と縦枠の連結部から室内側に浸入することもない。
【００３７】
また、ブラケット取付片にブラケットが、上枠本体の上部寄りに位置して、上枠の室外側部とドアパネルの室外側上部をシールする室外側シール材と干渉しないように固着してあるので、上枠室外側部とドアパネル室外側上部を確実にシールすることができる。
【図面の簡単な説明】
【図１】開きドアの外観図である。
【図２】開きドアの縦断面図である。
【図３】開きドアの横断面図である。
【図４】ドアクローザー取付部の拡大断面図である。
【図５】ドアクローザー取付部の第２の実施形態を示す拡大断面図である。
【図６】ドアクローザー取付部の第３の実施形態を示す拡大断面図である。
【図７】ドアクローザー取付部の第１の従来例の説明図である。
【図８】ドアクローザー取付部の第２の従来例の説明図である。
【符号の説明】
１０…ドア枠
１１…ドアパネル
１２…上枠
２０…ドアクローザー
２１…本体
２２…リンク
２３…ブラケット
３１…室外側立上り片（室外側見付け面）
３８…上枠本体
３９…ブラケット取付片
【図１】
0003787806.tif 000002
【図２】
0003787806.tif 000003
【図３】
0003787806.tif 000004
【図４】
0003787806.tif 000005
【図５】
0003787806.tif 000006
【図６】
0003787806.tif 000007
【図７】
0003787806.tif 000008
【図８】
0003787806.tif 000009